(57)【要約】      （修正有）【課題】原子炉の稼働・廃炉で、放射性汚染水の処理で色々な処理方法が考案されているが、根本的な処理方法が考案されていないように思う現状がある。【解決手段】汚染水を電気分解によるトリチウムの分離と、水素ガスと酸素ガスを発生させて、各ガスを収集して、燃料電池へ、また多用に産業に有効活用する。トリチウム水は重いので、底よりパイプでポンプアップして、別のトリチウム水用の廃棄物タンクへと分離して、トリチウム水は、β線を放出するので、トリチウム水による放射性廃棄物発電装置へと安定化になるまで発電する。この電気分解の形態を構築する装置で、通電はあるので、発電装置として、産業に活用出来ます。汚染水は減って行くので、順次投入して行きます。放射性汚染水が、ただ有害な物であり、これを利用して発電して、電気エネルギーに変換して、有用なものとしながらトリチウム水を無害化へとなるまで待つ。【選択図】なし【特許請求の範囲】
【請求項１】
水タンクに汚染水を投入し、放射性廃棄物発電装置の廃棄物タンクの外側の絶縁体コーティングをせずに、電子を放電させて、汚染水側に導体棒を挿入させて、廃棄物タンクに抵抗をへて、電流を調整して通電し、導体棒を正極とし、廃棄物タンクを負極として、水の電気分解の原理により、汚染水の電気分解によるトリチウム分離を行い、トリチウム水が水より重いので底より、パイプとポンプで、別の放射性廃棄物発電装置のトリチウム水専用の廃棄物タンクに投入して、発電する。この様に順次放射性廃棄物発電装置を利用して、汚染水を水素と酸素を発生させて、電力は放射性廃棄物発電装置で、この装置自体も通電するので、電力供給も可能です。
【発明の詳細な説明】
【技術分野】
【０００１】  本発明は放射性汚染水の処理に関する
【背景技術】
【０００２】  放射性廃棄物発電装置を応用して、水の電気分解状況を構築して発電し、水素、酸素を生産し、トリチウム水を分離し、さらにトリチウム水を収集して、トリチウム水がβ線を放出する事により、トリチウム水による放射性廃棄物発電装置で発電する。
【先行文献】
【０００３】  モーズリーの放射線による高電圧の測定実験より  水の電気分解  北海道大学における、トリチウム分解技術の検証のための実証事業より
【発明の概要】
【発明が解決しようとする課題】
【０００４】  原子炉の発電設備で、大量の汚染水の処理にトリチウムの処理が海に希釈させて、放出という様な処理しかない現状がある。
【課題を解決するための手段】
【０００５】  汚染水を水タンクに投入して、放射性廃棄物発電装置を応用して、廃棄物タンクの外側の絶縁体によるコーティングせずに、導体タンクより汚染水に電子を放電して、導体棒を廃棄物タンクに抵抗を介して電流量を調整して発電し、汚染水タンク内で水の電気分解を構築して、トリチウム水を収集し、水素、酸素を収集し、トリチウム水は、底よりパイプを介してポンプアップして、トリチウム水による廃棄物タンクへと、トリチウム水はβ崩壊によるβ線を発するので、放射性廃棄物発電装置の原料として、さらに発電と、どんどん汚染水を処理して、発電装置を次々に作って行って、汚染水を利用処理する。
【発明の効果】
【０００６】  汚染水処理に、抜本的な方策がない現状で、発電しながら処理をし、水素と酸素を生産するので、水素ガスは燃料電池へ、酸素は多用に利用して、トリチウム水は発電の原料と無駄なく産業に利用する。
【発明を実施するための形態】
【０００７】  放射性廃棄物発電装置の応用で、廃棄物タンクの外側の絶縁体のコーティングを止めて、導体物よりの電子の放電より負極とし、水タンクの水に汚染水を使用し投入、廃棄物タンクより導線で抵抗などの回路を組み、汚染水に導体棒を挿入して、正極として、電気分解を構築して、水素、酸素、トリチウム水を収集して、各用途へ。トリチウム水は底よりパイプを介してポンプアップして、トリチウム水による放射性廃棄物発電装置で発電する。
【産業上の利用の可能性】
【０００８】  汚染水の処理で、電気エネルギー供給と水素は燃料電池の原料へ、酸素は多用に利用する。
【図１】
2020056763.tif 000002
【手続補正書】
【提出日】平成30年12月10日(2018.12.10)
【手続補正１】
【補正対象書類名】明細書
【補正対象項目名】全文
【補正方法】変更
【補正の内容】
【発明の詳細な説明】
【技術分野】
【０００１】  本発明は放射性汚染水の処理に関する
【背景技術】
【０００２】  放射性廃棄物発電装置を応用して、水の電気分解状況を構築して発電し、水素、酸素を生産し、トリチウム水を分離し、さらにトリチウム水を収集して、トリチウム水がβ線を放出する事により、トリチウム水による放射性廃棄物発電装置で発電する。
【先行文献】
【０００３】  モーズリーの放射線による高電圧の測定実験より
水の電気分解
北海道大学における、トリチウム分解技術の検証のための実証事業より
【発明の概要】
【発明が解決しようとする課題】
【０００４】  原子炉の発電設備で、大量の汚染水の処理にトリチウムの処理が海に希釈させて、放出という様な処理しかない現状がある。
【課題が解決するための手段】
【０００５】  汚染水を水タンクに投入して、放射性廃棄物発電装置を応用して、廃棄物タンクの外側に絶縁体によるコーティングせずに、導体タンクより汚染水に電子を放電して、導体棒を廃棄物タンクに抵抗を介して電流量を調整して発電し、汚染水タンク内で水の電気分解を構築して、トリチウム水を収集し、水素、酸素を収集し、トリチウム水は、底よりパイプを介してポンプアップして、トリチウム水による廃棄物タンクへと、トリチウム水はβ崩壊によるβ線を発するので、放射性廃棄物発電装置の原料として、さらに発電と、どんどん汚染水を処理して、発電装置を次々に作って行って、汚染水を利用処理する。
【発明の効果】
【０００６】  汚染水処理に、抜本的な方策がない現状で、発電しながら処理をし、水素と酸素を生産するので、水素ガスは燃料電池へ、酸素は多用に利用して、トリチウム水は発電の原料と無駄なく産業に利用する。
【発電を実施するための形態】
【０００７】  放射性廃棄物発電装置の応用で、廃棄物タンクの外側の絶縁体のコーティングを止めて、導体物よりの電子の放電より負極とし、水タンクの水に汚染水を使用し投入、廃棄物タンクより導線で抵抗などの回路を組み、汚染水に導体棒を挿入して、正極として、電気分解を構築して、水素、酸素、トリチウム水を収集して、各用途へ、トリチウム水は底よりパイプを介してポンプアップして、トリチウム水による放射性廃棄物発電装置で発電する。
【産業上の利用の可能性】
【０００８】  汚染水の処理で、電気エネルギー供給と水素は燃料電池の原料へ、酸素は多用に利用する。
【図面の簡単な説明】
【０００９】
【図１】は、イメージ図で配管のフロー図のようにこの設備の流れを説明する図です。
【手続補正書】
【提出日】平成31年1月8日(2019.1.8)
【手続補正１】
【補正対象書類名】特許請求の範囲
【補正対象項目名】全文
【補正方法】変更
【補正の内容】
【特許請求の範囲】
【請求項１】
水タンクに汚染水を投入し、放射性廃棄物発電装置の廃棄物タンクの外側の絶縁体コーティングをせずに、電子を放電させて、汚染水側に導体棒を挿入させて、廃棄物タンクに抵抗をへて、電流を調整して通電し、導体棒を正極とし、廃棄物タンクを負極として、水の電気分解の原理により、汚染水の電気分解によるトリチウム分離を行い、トリチウム水が水より重いので底より、パイプとポンプで、別の放射性廃棄物発電装置のトリチウム水専用の廃棄物タンクに投入して、発電する。この様に順次放射性廃棄物発電装置を利用して、汚染水を水素と酸素を発生させて、電力は放射性廃棄物発電装置で、この装置自体も通電するので、電力供給も可能です。
発電能力は、タンク内廃棄物又はトリチウム水容積量により、随時設計する。
【手続補正２】
【補正対象書類名】明細書
【補正対象項目名】全文
【補正方法】変更
【補正の内容】
【発明の詳細な説明】
【技術分野】
【０００１】  本発明は放射性汚染水の処理に関する
【背景技術】
【０００２】  放射性廃棄物発電装置を応用して、水の電気分解状況を構築して発電し、水素、酸素を生産し、トリチウム水を分離し、さらにトリチウム水を収集して、トリチウム水がβ線を放出する事により、トリチウム水による放射性廃棄物発電装置で発電する。
【先行文献】
【０００３】  モーズリーの放射線による高電圧の測定実験より
水の電気分解
北海道大学における、トリチウム分解技術の検証のための実証事業より
【発明の概要】
【発明が解決しようとする課題】
【０００４】  原子炉の発電設備で、大量の汚染水の処理にトリチウムの処理が海に希釈させて、放出という様な処理しかない現状がある。
【課題が解決するための手段】
【０００５】  汚染水を水タンクに投入して、放射性廃棄物発電装置を応用して、廃棄物タンクの外側に絶縁体によるコーティングせずに、導体タンクより汚染水に電子を放電して、導体棒を廃棄物タンクに抵抗を介して電流量を調整して発電し、汚染水タンク内で水の電気分解を構築して、トリチウム水を収集し、水素、酸素を収集し、トリチウム水は、底よりパイプを介してポンプアップして、トリチウム水による廃棄物タンクへと、トリチウム水はβ崩壊によるβ線を発するので、放射性廃棄物発電装置の原料として、さらに発電と、どんどん汚染水を処理して、発電装置を次々に作って行って、汚染水を利用処理する。
【発明の効果】
【０００６】  汚染水処理に、抜本的な方策がない現状で、発電しながら処理をし、水素と酸素を生産するので、水素ガスは燃料電池へ、酸素は多用に利用して、トリチウム水は発電の原料と無駄なく産業に利用する。
【発電を実施するための形態】
【０００７】  放射性廃棄物発電装置の応用で、放射性廃棄物タンク（特願２０１８−２１２５６４）の外壁絶縁コーティングせずに、外壁への電子を帯電で、汚染水に放電し、廃棄物タンクよりの電気回路を経て、導体棒を汚染水に挿入して、正極高電圧として、水の電気分解の原理が構築しているされるので、正極に水酸化物イオン、外壁負極に水素イオンなどの反応で、水素ガス、酸素ガスを発生させて、汚染水をトリチウム水と分離を電気分解によって行う、この時外壁よりの電子の放電で水素イオンに電子を与えて、水素ガスに、水酸化物イオンは、正極に電子を渡し酸素ガスに、ここで、通電しなければ、水の電気分解とはならないので、通電はあるはずです。トリチウム水は、水より重いので、（中性子を含みβ崩壊しているので）底に沈み、底に沈んだトリチウム水をパイプよりポンプアップして、トリチウムタンクへと、同様の装置形態で発電、電気分解の装置で、どんどん装置を付け足して、汚染水を電気エネルギーに変えながら、安定に導いて、海へと放出に、無害の安定溶液で放出する。
放射性廃棄物発電装置を応用することで、正極高電圧が廃棄物タンク内で成立し、外壁を絶縁コーティングしない事で電子を放電させてと、電気分解の条件が揃うので、発電し、汚染水を処理し、トリチウム分離へと、一挙両得な機構です。
【産業上の利用の可能性】
【０００８】  汚染水の処理で、電気エネルギー供給と水素は燃料電池の原料へ、酸素は多用に利用する。
【図面の簡単な説明】
【０００９】
【図１】は、放射性廃棄物タンクを利用し、汚染水タンクに汚染水を投入して、正極の導体棒を挿入して、水の電気分解を構築して、トリチウム水が底に沈むので、そこよりパイプを介してポンプアップして、、別のトリチウムタンクへトリチウム水を投入して、同様の電気分解を構築して、次々と装置を構築して行く。そのイメージフロー図です。
【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
水タンクに汚染水を投入し、放射性廃棄物発電装置の廃棄物タンクの外側の絶縁体コーティングをせずに、電子を放電させて、汚染水側に導体棒を挿入させて、廃棄物タンクに抵抗をへて、電流を調整して通電し、導体棒を正極とし、廃棄物タンクを負極として、水の電気分解の原理により、汚染水の電気分解によるトリチウム分離を行い、トリチウム水が水より重いので底より、パイプとポンプで、別のトリチウム水専用の廃棄物タンクに投入して、分離する。この様に、汚染水を水素と酸素を発生させて、電力は放射性廃棄物発電装置で、この装置自体も通電するので、電力供給も可能です。
発電能力は、タンク内廃棄物容積量により、随時設計する。
【手続補正２】
【補正対象書類名】明細書
【補正対象項目名】全文
【補正方法】変更
【補正の内容】
【発明の詳細な説明】
【技術分野】
【０００１】  本発明は放射性汚染水の処理に関する
【背景技術】
【０００２】  放射性廃棄物発電装置を応用して、水の電気分解状況を構築して発電し、水素、酸素を生産し、トリチウム水を分離する。
【先行文献】
【０００３】  モーズリーの放射線による高電圧の測定実験より
水の電気分解
北海道大学における、トリチウム分解技術の検証のための実証事業より
【発明の概要】
【発明が解決しようとする課題】
【０００４】  原子炉の発電設備で、大量の汚染水の処理にトリチウムの分離がある。
【課題が解決するための手段】
【０００５】  汚染水を水タンクに投入して、放射性廃棄物発電装置を応用して、廃棄物タンクの外側に絶縁体によるコーティングせずに、導体タンクより汚染水に電子を放電して、導体棒を廃棄物タンクに抵抗を介して電流量を調整して発電し、汚染水タンク内で水の電気分解を構築して、トリチウム水を収集し、水素、酸素を収集し、トリチウム水は、底よりパイプを介してポンプアップして、トリチウム水による廃棄物タンクへと、どんどん汚染水を分離して行く。
【発明の効果】
【０００６】  汚染水処理に、抜本的な方策がない現状で、発電しながら処理をし、水素と酸素を生産するので、水素ガスは燃料電池へ、酸素は多用に利用して、トリチウム水を分離して行く。
【発明を実施するための形態】
【０００７】  放射性廃棄物発電装置の応用で、放射性廃棄物タンク（特願２０１８−２１２５６４）の外壁絶縁コーティングせずに、外壁への電子を帯電で、汚染水に放電し、廃棄物タンクよりの電気回路を経て、導体棒を汚染水に挿入して、正極高電圧として、水の電気分解の原理が構築しているされるので、正極に水酸化物イオン、外壁負極に水素イオンなどの反応で、水素ガス、酸素ガスを発生させて、汚染水をトリチウム水と分離を電気分解によって行う、この時外壁よりの電子の放電で水素イオンに電子を与えて、水素ガスに、水酸化物イオンは、正極に電子を渡し酸素ガスに、ここで、通電しなければ、水の電気分解とはならないので、通電はあるはずです。トリチウム水は、水より重いので、（中性子を含みβ崩壊しているので）底に沈み、底に沈んだトリチウム水をパイプよりポンプアップして、トリチウムタンクへと、分離して行く。
放射性廃棄物発電装置を応用することで、正極高電圧が廃棄物タンク内で成立し、外壁を絶縁コーティングしない事で電子を放電させてと、電気分解の条件が揃うので、発電し、汚染水を処理し、トリチウム分離へと、一挙両得な機構です。
【産業上の利用の可能性】
【０００８】  汚染水の処理で、電気エネルギー供給と水素は燃料電池の原料へ、酸素は多用に利用する。
【図面の簡単な説明】
【０００９】
【図１】は、放射性廃棄物タンクを利用し、汚染水タンクに汚染水を投入して、正極の導体棒を挿入して、水の電気分解を構築して、トリチウム水が底に沈むので、底よりパイプを介してポンプアップして、別のトリチウムタンクへトリチウム水を投入して行く。そのイメージフロー図です。
【手続補正３】
【補正対象書類名】図面
【補正対象項目名】全図
【補正方法】変更
【補正の内容】
【図１】
2020056763.tif 000003